(57)【要約】【課題】簡単な構造で密閉性が高く、弱い力により簡単な操作で蓋部材を確実に閉めることができる合成樹脂製容器を提供する。【解決手段】容器本体１２と蓋部材２６からなる合成樹脂製容器１０である。容器本体１２には、開口部１８の周縁部に形成され外側に突出する係止部２０と、係止部２０に形成され、係止部２０の先端部２０ａが開口部１８から離れるように傾斜するガイド面２１を備える。蓋部材２６には、開口部１８を閉鎖する天板２８と、天板２８に連続し係止部２０を覆う覆い部３６と、覆い部３６に形成され弾性変形により係止部２０の先端部２０ａに装着される被係止部３８を備える。覆い部３６の被係止部３８と天板２８の間に、スリット４０を有する。被係止部３８は、天板２８の全周に対して所定間隔で複数箇所に設けられ、スリット４０は、部分的に設けられた被係止部３８に対応して設けられている。【選択図】図１
2017193350.tif 000002
【特許請求の範囲】
【請求項１】
容器本体と蓋部材からなり、前記容器本体には、開口部と、前記開口部の周縁部に形成され外側に突出する係止部と、前記係止部に形成され前記係止部の先端部が前記開口部から離れるように傾斜するガイド面が設けられ、前記蓋部材には、前記開口部を閉鎖する天板と、前記天板に連続し前記係止部を覆う覆い部と、前記覆い部に形成され前記覆い部の弾性変形により前記係止部の先端部に着脱自在に装着される被係止部と、前記覆い部の前記被係止部と前記天板の間に形成され弾性変形を容易にするスリットが設けられ、前記被係止部は、前記天板の全周に対して所定間隔で複数箇所に設けられ、前記スリットは、前記被係止部に対応して前記天板の全周に所定の間隔で設けられていることを特徴とする合成樹脂製容器。
【請求項２】
前記容器本体は、円形の底部と円筒状の側面で形成され、前記側面の、前記底部と反対側が前記開口部となり、前記係止部は前記側面の外周面に前記開口部に沿って一周して設けられ、前記蓋部材の前記天板は円形であり、前記覆い部は前記天板の周縁部を一周して設けられ、前記被係止部は、前記天板の円周に沿って所定間隔を開けて等間隔に設けられ、前記スリットは、前記各被係止部に対応して一定間隔を開けて設けられている請求項１記載の合成樹脂製容器。
【請求項３】
前記天板は、前記開口部の周縁部である前記側面の内周面に嵌合され、前記天板の周縁部には、前記側面の内周面に密着する密着面が設けられている請求項１記載の合成樹脂製容器。
【発明の詳細な説明】
【技術分野】
【０００１】
この発明は、粉体や液体等の種々の材料等を収容可能な有底筒状の容器本体と、容器本体の開口部を閉鎖する蓋部材とからなる合成樹脂製容器に関する。
【背景技術】
【０００２】
従来、有底筒状の容器本体と、容器本体の開口部を閉鎖する蓋部材が設けられた合成樹脂容器は、接着剤やシーリング材等の材料の収容に使用されている。これら接着剤やシーリング材等を収容した容器は、成分の揮発を抑え貯蔵安定性を保つために、密閉性を持たせる工夫がされている。
【０００３】
特許文献１に開示されている容器及び容器用天蓋は、容器本体の胴体外周面の開口部側の部分に上側係止部と下側係止部が設けられている。上側係止部と下側係止部は、各々胴体外周面の一周にわたる環状の突出部である。天蓋には容器本体の開口部側部分に対応するスカート部が設けられ、スカート部の内周面には、上側係止部と係合状態となる上側被係止部と、下側係止部と係合状態となる下側被係止部が設けられ、またスカート部の上側被係止部と下側被係止部の間には、切断可能な横溝が設けられている。
【０００４】
この容器及び容器用天蓋の使用方法は、まず容器本体に収容物を入れ、容器本体の上側係止部と下側係止部に容器用天蓋の上側被係止部と下側被係止部を各々係合させて閉じる。この時、天蓋が開口部の縁部部分と密着する。天蓋を容器本体から取り外す時は、横溝を切断して、スカート部の下部が切り取られて下側係止部と下側被係止部との係合が解除され、これにより、天蓋は上側係止部と上側被係止部との間の係合のみで容器本体に取り付けられた状態となり、係合力が弱められ、天蓋を容器本体から容易に取り外す。なお、取り外した天蓋は、スカート部の切り残された上部を容器本体の開口部にはめて上側係止部と上側被係止部を係合させ、再度取り付けることができる。
【先行技術文献】
【特許文献】
【０００５】
【特許文献１】特開平７−３３００１０号公報
【発明の概要】
【発明が解決しようとする課題】
【０００６】
上記背景技術の場合、天蓋を容器本体に再度取り付ける際に、容器本体の上側係止部と天蓋の上側被係止部を、開口部に沿って一周して係合させるため、一周して天蓋を上方から押さなければならず、装着に手間がかかるものである。さらに、天蓋の取り付けには、天蓋の裏面に設けられたパッキンに容器本体の開口部の端面が当接した状態で、天蓋の被係止部を容器本体の係止部に下方から掛けなければならず、下に強い力で押し下げる必要があり、作業者の負担になる。また、密閉させるために強い力で押して確実に係合させる必要があり、係合が部分的に不完全になる恐れがあり、係合が不完全で、密封性が不十分な状態でも、作業者が気付かないおそれもある。
【０００７】
この発明は、上記背景技術の問題点に鑑みてなされたものであり、簡単な構造で密閉性が高く、弱い力により簡単な操作で蓋部材を確実に閉めることができる合成樹脂製容器を提供することを目的とする。
【課題を解決するための手段】
【０００８】
本発明は、容器本体と蓋部材からなる合成樹脂製容器であり、前記容器本体には、開口部と、前記開口部の周縁部に形成され外側に突出する係止部と、前記係止部に形成され前記係止部の先端部が前記開口部から離れるように傾斜するガイド面が設けられ、前記蓋部材には、前記開口部を閉鎖する天板と、前記天板に連続し前記係止部を覆う覆い部と、前記覆い部に形成され前記覆い部の弾性変形により前記係止部の先端部に着脱自在に装着される被係止部と、前記覆い部の前記被係止部と前記天板の間に形成され弾性変形を容易にするスリットが設けられ、前記被係止部は、前記天板の全周に対して所定間隔で複数箇所に設けられ、前記スリットは、部分的に設けられた前記被係止部に対応して前記天板の全周に所定の間隔で設けられている。前記容器本体の前記開口部に、前記蓋部材を当てて押すと、前記被係止部が前記係止部の前記ガイド面に当接して前記覆い部が弾性変形し、前記スリットにより前記覆い部は弱められて容易に弾性変形し、前記被係止部は前記係止部を乗り越えて弾性変形が復元し前記係止部の先端部に係止され、前記開口部が閉鎖される。
【０００９】
前記容器本体は、円形の底部と円筒状の側面で形成され、前記側面の、前記底部と反対側が前記開口部となり、前記係止部は前記側面の外周面に前記開口部に沿って一周して設けられ、前記蓋部材の前記天板は円形であり、前記覆い部は前記天板の周縁部を一周して設けられ、前記被係止部は、前記天板の円周に沿って例えば１２箇所に所定間隔を開けて等間隔に設けられ、前記スリットは、前記各被係止部に対応して所定間隔を開けて設けられている。
【００１０】
前記天板は、前記開口部の周縁部である前記側面の内周面に嵌合され、前記天板の周縁部には、前記側面の内周面に密着する密着面が設けられている。
【発明の効果】
【００１１】
本発明の合成樹脂製容器は、簡単な構造で密閉性が高く、弱い力により簡単な操作で蓋部材を閉めることができる。収容物の、湿気による変質を防ぎ、貯蔵安定性が高い。また、外側に漏れることを防ぎ、運搬や保管の際に汚れることがなく便利である。
【図面の簡単な説明】
【００１２】
【図１】この発明の一実施形態の合成樹脂製容器の部分破断斜視図である。
【図２】この実施形態の合成樹脂製容器の蓋部材の底面図である。
【図３】図２のＡ−Ａ線縦断面図である。
【図４】この実施形態の合成樹脂製容器の蓋部材を閉じる前の状態を示す縦断面図である。
【図５】この実施形態の合成樹脂製容器の蓋部材を閉じた状態を示す縦断面図である。
【発明を実施するための形態】
【００１３】
以下、この発明の実施形態について図面に基づいて説明する。図１〜図５はこの発明の一実施形態を示すもので、この実施形態の合成樹脂製容器１０は、収容物を入れる容器本体１２が設けられている。容器本体１２は、ポリエチレン等の合成樹脂製であり、円形の底部１４と円筒状の側面１６で形成されている。側面１６の上方、つまり底部１４と反対側は、収容物を入れる開口部１８となる。側面１６の外周面には、底部１４と反対側で開口部１８の周縁部である端面１６ａの近傍に、係止部２０が設けられている。
【００１４】
係止部２０は、側面１６に一体に設けられ、側面１６の外周面を端面１６ａに対して略平行に一周して設けられ、係止部２０の縦断面形状は、側面１６に連続している基端部は側面１６から離れるにつれて端面１６ａから離れるほうに傾斜して突出し、突出方向の途中で折り曲げられて側面１６に対して略平行に底部１４側へ向かって延出している。係止部２０の、側面１６に連続している基端部の、開口部１８側の面は、後述する蓋部材２６の覆い部３６が当接するガイド面２１となる。係止部２０の先端部２０ａは、底部１４に対して平行な平面で形成されている。
【００１５】
側面１６の外周面には、後述する持ち手２４を取り付ける取付部２２が設けられている。取付部２２は、側面１６の外側に位置する矩形の取付板２２ａが設けられ、取付板２２ａには底部１４に向かって開口する逆Ｕ字形の切欠部２２ｂが設けられている。取付板２２ａには、切欠部２２ｂが設けられていないその他の３方の側縁部に、側面１６から一体に起立して形成された図示しない側壁部が設けられ、取付板２２ａと側壁１６との間に薄い空間を形成し、後述する持ち手２４の図示しない係合部を収容可能にしている係止部２０は２箇所に設けられ、側面１６の直径方向に互いに対向して位置している。
【００１６】
取付部２２には持ち手２４が取り付けられている。持ち手２４は、合成樹脂製のベルトであり、端部には、取付部２２の切欠部２２ｂに挿通されて係止される図示しない突起部が設けられている。持ち手２４の長さは、容器本体１２の開口部１８側に位置する時に、作業者が保持するのに適した円弧となる長さである。
【００１７】
容器本体１２の開口部１８には、蓋部材２６が開閉可能に取り付けられている。蓋部材２６はポリエチレンなどの合成樹脂製であり、図２、図３に示すように、円形の天板２８を有し、天板２８は、容器本体１２の開口部１８に位置する側面１６の内周面に密着して嵌合される大きさである。天板２８の周縁部には、側面１６の内周面に沿って上方に延出し端面１６ａから僅かに上方に突出する内筒部３０と、内筒部３０の先端に連続し内筒部３０の外側を一周するリング状の頂面部３２と、頂面部３２の外周縁部に連続し内筒部３０に対して平行で内筒部３０の外側に位置する外筒部３４が設けられている。内筒部３０、頂面部３２、外筒部３４で囲まれ下方に開口する環状の空間は、側面１６の端面１６ａを覆うコの字形の嵌合溝部３５となる。天板２８と内筒部３０の境界部分は面取りされて湾曲され、天板２８の上面２８ａに連続する湾曲の径は、下面２８ｂの径よりも大きく形成され、境界部分が厚くなっている。内筒部３０の、外筒部３４に対面する周面は、容器本体１２の側面１６の内周面に密着する密着面３１であり、密着面３１の、天板２８の下面２８ｂと連続する部分は、密着面３１よりも下面２８ｂに近づくにつれて天板２８の中心に近づくテーパ面３３が形成されている。
【００１８】
外筒部３４の、頂面部３２と反対側の下端部には、側面１６の係止部２０の外側を覆う覆い部３６が一周して設けられている。覆い部３６の縦断面形状は、外筒部３４に連続する基端部は外筒部３４から離れるにつれて外筒部３４より外側に離れる方に傾斜して突出し、突出方向の途中で折り曲げられて外筒部３４に対して略平行に延出している。覆い部３６は、側面１６の係止部２０の外側に嵌合する形状であり、覆い部３６の先端部３６ａは、係止部２０の先端部２０ａよりも長く、下方に突出する形状である。
【００１９】
覆い部３６の先端部３６ａには、円周方向の複数個所に、係止部２０の先端部２０ａに係合する被係止部３８が設けられている。被係止部３８は、先端部３６ａと面一に、覆い部３６の内周面から天板２８の内側に向かって突出している。被係止部３８は、例えば天板２８の円周に沿って、所定間隔を開けて等間隔に１２個が設けられ、天板２８の中心から互いに３０°となる位置に設けられている。被係止部３８の、覆い部３６内周面からの突出長さは、係止部２０の先端部２０ａの厚みとほぼ等しい。覆い部３６の、外筒部３４に連続する基端部には、被係止部３８に対応する部分に、ここでは１２か所に、スリット４０が設けられている。スリット４０は略垂直方向に貫通して設けられ、スリット４０の円周方向の長さは、被係止部３８の円周方向の長さよりも少し長く設けられ、直径方向の幅は、覆い部３６の基端部から折り曲げられている角部に達するものである。
【００２０】
覆い部３６の先端部３６ａには、一か所に、摘み片４２が設けられている。摘み片４２は、天板２８に対して平行な板状体であり、半円形状に側方に突出している。摘み片４２の表面に、すべり止めの凹凸が形成されてもよい。
【００２１】
次に、この実施形態の合成樹脂製容器１０の使用方法について説明する。容器本体１２の中にパテや接着剤などの収容物を入れる。そして容器本体１２の開口部１８に蓋部材２６を装着する。この時図４に示すように、天板２８の各被係止部３８が容器本体１２の係止部２０のガイド面２１に当接させるが、この状態では係合しない。
【００２２】
次に天板２８の中心付近を軽く押し下げる。すると、各被係止部３８はガイド面２１に当接しながら押し下げられ、覆い部３６が弾性変形して広がり、係止部２０の先端部２０ａを通過した時弾性変形が復元し、各被係止部３８が係止部２０の先端部２０ａに当接し、図５に示す係合状態となる。このとき、被係止部３８が係止部２０の先端部２０ａを乗り越えて弾性変形が復元する際にクリック感と音が生じるため、係合したことが明確に分かる。また、蓋部材２６の嵌合溝部３５にはテーパ面３３が設けられているため、容器本体１２の側面１６端面１６ａはテーパ面３３にガイドされて円滑に嵌合溝部３５に嵌合される。側面１６の内周面には密着面３１が密着し、液密となる。各被係止部３８は、円周に沿って部分的に設けられているため、弱い力で押しても強くガイド面２１に当接する。また覆い部３６には被係止部３８に対応する部分にスリット４０が設けられていて、覆い部３６は弱められて、弾性変形して広がりやすい。このため、弱い力で天板２８を押すだけで各被係止部３８は容易に係止部２０に係合される。
【００２３】
収容した収容物を使用する時は、摘み片４２を引き上げ、摘み片４２の近傍の覆い部３６を外側に弾性変形して広げ、被係止部３８が順番に係止部２０から離れ、全ての各被係止部３８が外れて係合を解除し、容器本体１２の開口部１８から蓋部材２６を取り外す。
【００２４】
この実施形態の合成樹脂製容器１０によれば、簡単な構造で密閉性が高く、弱い力により簡単な操作で蓋部材を閉めることができる。容器本体１２に蓋部材２６を係合する際に、天板２８の中央付近を開口部１８に向かって押し下げるだけで各被係止部３８が係止部２０に係合され、密閉されるため、操作が簡単である。パテや接着剤を塗布する作業の途中で片手で閉めることができ、作業効率が良く、弱い力で閉めることができ、作業者の負担が少ない。閉めた時にクリック感と音が生じるため、閉めたことを確認することができる。開ける時も、スリット４０が設けられているため、覆い部３６が弾性変形しやすいため弱い力で被係止部３８を係止部２０から外すことができ、開く操作も容易である。スリット４０が設けられて覆い部３６が弾性変形しやすいため、被係止部３８の突出量を大きくしても容易に係止部２０に係合することができる。被係止部３８の突出量を大きくすることで取り付け強度を高くすることができる。合成樹脂製容器１０は密閉性が高いため、収容物の、湿気による変質を防ぎ、貯蔵安定性が高い。また、外側に漏れることを防ぎ、運搬や保管の際に汚れることがなく便利である。
【００２５】
なお、この発明の合成樹脂製容器は、上記実施の形態に限定されず、被係止部の大きさや形状、数等、適宜変更可能であり、確実に係止部に係合するものであれば良い。天板は、開口部の内径よりも少し大きく設けられてもよく、蓋部材の密着面が容器本体の側面の内周面に強い力で密着するものでもよい。スリットの大きさも適宜変更可能である。容器本体の大きさや形状も適宜変更可能であり、蓋部材を容器本体の開口部に合わせた大きさにする。内容物は、パテや接着剤の他に、粉体や粒体等、色々なものに使用することができる。容器本体は合成樹脂以外に金属製やガラス製等でもよい。
【符号の説明】
【００２６】
１０  合成樹脂製容器
１２  容器本体
１４  底部
１６  側面
１８  開口部
２０  係止部
２０ａ  先端部
２１  ガイド面
２６  蓋部材
２８  天板
３１  密着面
３６  覆い部
３８  被係止部
４０  スリット
【図１】
2017193350.tif 000003
【図２】
2017193350.tif 000004
【図３】
2017193350.tif 000005
【図４】
2017193350.tif 000006
【図５】
2017193350.tif 000007